(57)【要約】本発明は、ガンマ補正回路（３）と、量子化器（１１）と、サブフィールド発生回路（８）とを備える、直線光トランジションによりディスプレイパネルに画像を映すビデオ信号を処理するためのビデオ回路（１）に関する。計算時間を節約するために、ランダムアクセスメモリ（７）が、量子化器（６４）の代わりとなる。
2005536924.tif 000002
【特許請求の範囲】
【請求項１】
ガンマ補正回路と、量子化器と、サブフィールド発生回路とを備える、直線光トランジションによりディスプレイパネルに画像を映すビデオ信号を処理するためのビデオ回路であって、
量子化のコアース調整を、第１ランダムアクセスメモリで行い、量子化のファイン調整を、第２ランダムアクセスメモリで行う、ことを特徴とするビデオ回路。
【請求項２】
ガンマ補正回路と、量子化器と、サブフィールド発生回路とを備える、直線光トランジションによりディスプレイパネルに画像を表示するビデオ信号を処理するためのビデオ回路であって、
最上位ビットを、第１ランダムアクセスメモリで量子化し、最下位ビットを、第２ランダムアクセスメモリで量子化する、ことを特徴とするビデオ回路。
【請求項３】
ガンマ補正回路と、量子化器と、サブフィールド発生回路とを備える、直線光トランジションによりディスプレイパネルに画像を表示するビデオ信号を処理するためのビデオ回路であって、
ランダムアクセスメモリが、前記量子化器の代わりとなることを特徴とするビデオ回路。
【請求項４】
前記ランダムアクセスメモリは、逆量子化器の代わりとなることを特徴とする請求項３に記載のビデオ回路。
【請求項５】
前記ランダムアクセスメモリは、ガンマ補正回路の代わりとなることを特徴とする請求項３および／または請求項４に記載のビデオ回路。
【請求項６】
逆ガンマ回路を、前記逆量子化器の下流に配置することを特徴とする請求項４および／または請求項５に記載のビデオ回路。
【請求項７】
前記ランダムアクセスメモリは、サブフィールド発生器の代わりとなることを特徴とする請求項３乃至請求項６の１または複数に記載のビデオ回路。
【請求項８】
前記サブフィールド発生器は、変換器および逆量子化器を介して、値をフィルタに加えることを特徴とする請求項７に記載のビデオ回路。
【請求項９】
前記フィルタは、隣接ラインの画素値を表わす第２信号の入力領域に位置する加算器に、値を加えることを特徴とする請求項８に記載のビデオ回路。
【請求項１０】
前記サブフィールド発生器は、第２変換器および第２逆量子化器を介して、値を前記加算器に加えることを特徴とする請求項７乃至請求項９の１または複数に記載のビデオ回路。
【請求項１１】
前記隣接ラインの画素値は、第２ランダムアクセスメモリ内の量子化器で量子化され、
前記第２ランダムアクセスメモリにおいて、サブフィールドが、サブフィールド発生器で生成されることを特徴とする請求項９および／または請求項１０に記載のビデオ回路。
【請求項１２】
前記サブフィールド発生器は、前記第２ランダムアクセスメモリの前記量子化器に値を加えることを特徴とする請求項１１に記載のビデオ回路。
【発明の詳細な説明】
【技術分野】
【０００１】
本発明は、ガンマ補正回路と、量子化器と、サブフィールド発生回路とを備える、直線光トランジションによりディスプレイパネルに画像を映すビデオ信号を処理するためのビデオ回路に関する。
【背景技術】
【０００２】
米国特許第６，０９７，３６８号は、テレビジョンセットのディスプレイパネルに画像を映すビデオ信号が、赤、緑および青信号を含むことで知られており、これは８ビットの３倍のビデオデータである。プラズマディスプレイパネル、すなわち略してＰＤＰは、直線光トランジションを有する。したがって、ガンマ関数にかけられたビデオ信号は、補正すべきであり、ビデオ信号は、輝度データに変換される。プラズマディスプレイパネルは、表示できる輝度段階の数が限定されており、したがって、量子化処理は、ビットの数を減少させる。赤、緑または青の光を生成するために、画素の赤、緑、青の光源を一定期間発光させるサブフィールドをアドレスする。この技術は、また、サブフィールド生成（Sub Field Generation）すなわち略してＳＦＧとも呼ばれる。これらの方法のために、プロセッサが提供される。ビデオ信号の輝度信号への変換、量子化方法、およびサブフィールドのアドレッシングは、時間のかかる方法であり、プラズマディスプレイパネルでは連続して実施される。１つの画像から次へと移動が起こると、アーテファクトが生じる場合がある。
【発明の開示】
【発明が解決しようとする課題】
【０００３】
したがって、本発明の目的は、計算時間を節約し、画素クオリティを向上させることである。
【課題を解決するための手段】
【０００４】
この目的は、組み合わされた請求項１〜３の特徴的機能に従って達成される。
【０００５】
第１の実施形態においては、第１ランダムアクセスメモリにて、量子化のコアース調整が行われ、第２ランダムアクセスメモリにて、ファイン調整が行われる。ランダムアクセスメモリで行われる量子化により、時間が節約される。２つの部分への分割により、１２ビット入力のために必要なメモリサイズが著しく減少する。
【０００６】
第２の実施形態においては、第１ランダムアクセスメモリにおいて最上位ビットを量子化し、第２ランダムアクセスメモリにおいて最下位ビットを量子化する。ランダムアクセスメモリで行われる量子化によって、時間が節約される。ここでも、２つの部分への分割により、１２ビット入力のために必要なメモリサイズが著しく減少する。
【０００７】
第３の実施形態において、ランダムアクセスメモリは、量子化器の代わりとなる。デジタルデータ信号が、アドレスとしてランダムアクセスメモリに印加され、関連する値が、出力から発せられる。これは、複数のステップで計算を実行するコンピュータに比べて、時間を節約する。
【０００８】
ランダムアクセスメモリは、有益に、逆量子化器の代わりとなる。先に量子化された信号は、再変換され、入力値との比較を行うことができる。量子化器および逆量子化器は、ランダムアクセスメモリ内で実現される。量子化誤差を検出することができ、誤差分散方法を、フィルタを用いて実行することができる。
【０００９】
ランダムアクセスメモリは、有益に、ガンマ補正回路の代わりとなる。ガンマ補正関数と量子化が単一のランダムアクセスメモリで実行される場合、計算時間も節約される。直線光トランジションに基づいて、ガンマ関数にかけられたビデオ信号が補正され、ビデオデータが輝度データに変換される。対応するガンマ補正関数が、ｘ＝ｙｎを、ｎ＝２．４として読む。暗い場所において十分に高い解像度を達成するために、少なくとも１２ビットの３倍を使う必要がある。プラズマディスプレイパネルは、表示できる輝度段階の数が限定されており、これは典型的には３２（＝２５）〜２５６（＝２８）の個別の段階である。量子化処理は、ビット数を減らし、誤差分散方法は、量子化ノイズの発生を減少させる。量子化処理および誤差分散方法は、ディザリングとも呼ばれる。
【００１０】
逆ガンマ補正回路を、量子化器の下流に有利に含めることができる。ガンマ補正回路における補正が等距離の値を用いて変換されない場合は、逆量子化器とフィルタの間に逆ガンマ補正回路が必要である。次に、量子化器、逆量子化器、ガンマ補正回路および逆ガンマ補正回路は、単一のランダムアクセスメモリ内で実現される。
【００１１】
ランダムアクセスメモリは、有益に、サブフィールド発生器の代わりとなる。量子化器、逆量子化器、およびサブフィールド発生器が、単一のランダムアクセスメモリにて集合的に実現されると、コンピュータ時間も節約される。
【００１２】
ガンマ関数、量子化、サブフィールド発生回路および部分ラインダブリングは、２つのランダムアクセスメモリにより有利に達成される。２つの隣接ラインのサブフィールドの最下位ビットは同一であり、よって時間を節約することができる。第１ランダムアクセスメモリのサブフィールド発生回路は、プラズマディスプレイパネルを直接駆動することができるビットサンプルを出力し、さらにデータを、変換器、量子化器およびフィルタを介して隣接ラインの入力信号に、また、第２変換器、第２逆量子化器を介して入力信号に出力する。非等距離に分散するサブフィールドと共に、最下位ビットのビットサンプルが、第２ランダムアクセスメモリの量子化器に直接出力される。
【００１３】
本発明をより良く理解するために、実施形態の例を、以下に図面を参照して説明する。
【発明を実施するための最良の形態】
【００１４】
図１は、入力２と、ガンマ補正回路３と、可算器４と、メモリ５と、丸め回路６と、ランダムアクセスメモリ７と、略してサブフィールド発生またはＳＦＧ（Sub Field Generation）回路とも呼ばれるサブフィールド発生回路８と、出力９と、フィルタ１０と、を有するビデオ回路１を示している。メモリ７は、乗算回路１１、丸め回路１２、第２乗算回路１３および可算回路１４の代わりとなる。ランダムアクセスメモリ７は、割付表またはルックアップ表、略してＬＵＴとも呼ばれる。ｍ定義ラインにおける定義値に対して、メモリ７にて組み合わされた関数の結果として示された初期値が計算され、メモリ７に保存される。
【００１５】
図２は、隣接する画素ｘ−１，ｙ−１およびｘ，ｙ−１およびｘ＋１，ｙ−１およびｘ−１，ｙおよびｘ，ｙを有するディスプレイセクションを示している。ここでｘは、列番号の代わりであり、ｙは、行番号の代わりである。
【００１６】
図３は、各スポットにて発生する量子化誤差ＱＥ（Quantization Error）を乗算し、画素ｘ，ｙにおける現在値に対して表示される値を生成する絶対値を示している。量子化誤差、略してＱＥは、量子化ノイズとも呼ばれる。
【００１７】
図４は、遅延素子１５〜１８と、乗算素子１９〜２２と、可算器２３，２４，２５とを備えるフィルタ１０を示している。素子１５，１７および１８は、それぞれ１画素で遅延し、１画素の値に対するメモリ位置を有する。遅延素子１６は、１行の画素数により遅延し、２つの画素を引き去り、よって、多くのメモリ位置を有する。
【００１８】
ビデオ回路１の機能は、次のように説明することができる。ガンマ補正回路３において、赤、緑または青信号を、ガンマ関数の影響下で、赤、緑または青輝度信号に変換する。典型的なガンマ関数は、非直線であり、ｘ＝ｙｎを、ｎ＝２．４として読む。暗い場所において十分に高い解像度を達成するために、少なくとも１２ビットの３倍を使用する。変換された赤、緑または青の輝度信号は、それぞれｍまたは１２のラインを備える並列データラインを介して可算器４に印加される。メモリ５からの値１／２、および、前の画素からの量子化ノイズの和であるさらなる値が、可算器４にて輝度信号に加算される。一定値１／２を用いて、丸め回路６は、丸め関数を確実に実行することが可能である。量子化ノイズに先行する画素値の和は、図４に示されるように、フィルタ１０で形成される。表示される画素値の輝度値は、したがって、入力２に存在する現在画素値Ｘ（ｘ，ｙ）と、量子化ノイズ値に隣接する画素値の和として計算され、この隣接する画素値はフィルタ１０にて計算され、現在値に加算される。丸め回路６の後で満たされる以下の式は、その結果である。
表示される画素＝丸められた（Ｘ（ｘ，ｙ）＋１／２＋１／１６ＱＥ（ｘ−１，ｙ−１）＋５／１６ＱＥ（ｘ，ｙ−１）＋３／１６ＱＥ（ｘ＋１，ｙ−１）＋７／１６ＱＥ（ｘ−１，ｙ））
ここで、ｘ（ｘ，ｙ）は現在画素値であり、
値１／２はメモリ５からのものであり、
１／１６ＱＥ（ｘ−１，ｙ−１）＋５／１６ＱＥ（ｘ，ｙ−１）＋３／１６ＱＥ（ｘ＋１，ｙ−１）＋７／１６ＱＥ（ｘ−１，ｙ）の値は、フィルタ１０からの総計である。
【００１９】
量子化器は、次の関数で定義される。
Ｆ（ｘ）＝（ｘ／Ｓ）
ここで、Ｓは量子化係数であり、次のように計算される。
Ｓ＝入力ステージの数／出力ステージの数＝１０２４／２５６＝４
逆量子化関数は、次の式で事前定義される。
Ｆ（ｙ）＝ｙ＊Ｓ
フィルタ値による現在画素値（ｘ，ｙ）に対する影響は、Ｆｌｏｙｄ−Ｓｔｅｉｎｂｅｒｇアルゴリズムとしても知られている。ランダムアクセスメモリ７は、２つの乗算１１および１３、丸め関数１２および可算１４の代わりとなる。これは、ｍアドレスに対して、ＳＦＧ回路８へのｎ出力およびフィルタ１０へのｍ＋１−ｎ出力に対するメモリ値が利用可能であることを意味し、これは合計で２ｍ＊（ｍ＋１）メモリ位置となる。
【００２０】
図５は、入力２と、ガンマ補正回路３と、可算器４と、メモリ５と、丸め回路６と、ＳＦＧ回路８と、出力９と、フィルタ１０と、回路３２とを有する第２ビデオ回路３１を示している。回路３２は、コアース値ランダムアクセスメモリ３３と、ファイン値ランダムアクセスメモリ３４と、２つの可算器３５および３６とを有する。コアース値ランダムアクセスメモリ３３は、出力向けの量子化においてコアース調整を行い、ファイン値ランダムアクセスメモリ３４は、出力およびフィードバックループ３７向けの量子化においてファイン調整を行う。その結果、ルックアップ表は、２つのサブメモリ３３および３４に分割され、必要なメモリサイズは、１２ビット入力に対して、著しく０．８キロバイトも減少する。
【００２１】
図６は、入力２と、ガンマ補正回路３と、可算器４と、メモリ５と、丸め回路６と、ＳＦＧ回路８と、出力９と、フィルタ１０と、回路４２とを有するさらなるビデオ回路４１を示している。回路４２は、ＭＳＢランダムアクセスメモリ４３と、ＬＳＢランダムアクセスメモリ４４と、２つの可算器４５および４６とを有する。ＭＳＢは、Ｍｏｓｔ  Ｓｉｇｎｉｆｉｃａｎｔ  Ｂｉｔ（最上位ビット）の略であり、したがって上位ビットである。ＬＳＢは、Ｌｅａｓｔ  Ｓｉｇｎｉｆｉｃａｎｔ  Ｂｉｔ（最下位ビット）の略であり、下位ビットである。並列データの入力データストリームは、二等分に分けられ、ここで、ｍ−ｋ並列ラインに対応するｍ−ｋ並列データが、ＭＳＢとして第１メモリ４３に流れ込み、そこで２ｍ−ｋアドレスが検出される。ｋ並列ラインに対応する並列データの後半ｋは、メモリ４４に流れ込む。量子化誤差が、可算器４６にてＬＳＢデータからさらに引き去られる。
【００２２】
回路４２の機能を、簡潔にするために、１０進法の値を用いて以下に説明する。
【００２３】
可算器４５の後は、値４１が、回路４１の出力に存在するはずである。ＭＳＢランダムアクセスメモリ４３において、ＭＳＢ入力値のための出力値が、１０単位、よって１０のステップで出され、ＬＳＢランダムアクセスメモリ４４においては、ＬＳＢ入力値のための出力値は、１のステップで出される。しかしながら、ＭＳＢメモリ４３が値４０を供給できず、３９のみ供給する場合、量子化誤差ＱＥがＭＳＢメモリ４３の出力に発生し、これはまた、ＬＳＢメモリ４４に加算器４６を介して流れ込む。量子化誤差は、絶対値として−１であり、その否定値を、１であるＬＳＢ値に可算すると、次のようになる。
【００２４】
ＬＳＢ−（−１）＝ＬＳＢ＋１＝２
したがって、必要なメモリサイズは、１２ビット入力に対して０．２５キロバイト減少する。この構造では、ランダムアクセスメモリは２つの部分に分けられ、１部分は、第１出力において、ＭＳＢ量子化と、関連する量子化誤差とを生成し、他の部分は、第２出力において、ＬＳＢ量子化と、関連する量子化誤差とを生成する。２つの出力信号が互いに加算されると、新たな量子化値が得られる。
ＭＳＢランダムアクセスメモリのサイズは、２ｍ／２＋（ｍ＋１）である。
ＬＳＢランダムアクセスメモリのサイズは、２（ｍ＋１）／２＋（ｍ＋１）である。
表の内容は、以下のアルゴリズムで容易に生成することができる。
（Ｘ（ｘ，ｙ）＋１／２＋１／１６ＱＥ（ｘ−１，ｙ−１）＋５／１６ＱＥ（ｘ，ｙ−１）＋３／１６ＱＥ（ｘ＋１，ｙ−１）＋７／１６ＱＥ（ｘ−１，ｙ））を丸める。
Ｘは、新たに到着した画素の値であり、ＱＥは、先に生成された画素値の量子化誤差である。
【００２５】
新たな量子化出力信号は、
丸められた（１／２ｎ＋１／Ｓ＊
丸められた（Ｘ（ｘ，ｙ）＋１／２ｍ＋１／１６ＱＥ（ｘ−１，ｙ−１）＋５／１６ＱＥ（ｘ，ｙ−１）＋３／１６ＱＥ（ｘ＋１，ｙ−１）＋７／１６ＱＥ（ｘ−１，ｙ）））となり、
新たな量子化出力誤差は、
残り（１／２ｎ＋１／Ｓ＊
丸められた（Ｘ（ｘ，ｙ）＋１／２ｍ＋１／１６ＱＥ（ｘ−１，ｙ−１）＋５／１６ＱＥ（ｘ，ｙ−１）＋３／１６ＱＥ（ｘ＋１，ｙ−１）＋７／１６ＱＥ（ｘ−１，ｙ）））となる。
【００２６】
図７は、ガンマ補正関数５３と量子化関数５４が組み合わされた、ランダムアクセスメモリ５２を備えるビデオ回路５１を示す。ガンマ補正関数５３は、等距離値を用いて変換され、これにより、輝度領域における誤差の分散が、前方制御器５５を用いて行われる。輝度領域からの現在値は、加算器５７にてフィルタ１０からのフィルタ値に加算される。
【００２７】
図８は、非等距離値を用いて変換された値のためのランダムアクセスメモリ６２を備えるビデオ回路６１を示している。メモリ６２は、ガンマ補正回路６３、量子化器６４、逆量子化器６５、逆ガンマ補正回路６６および加算器６７の代わりとなる。ガンマ補正回路６３におけるガンマ補正値は、非等距離値を用いて変換されているので、逆ガンマ補正回路６６は、フィードバックループ６８に含まれる。丸め回路６９は、フィルタ１０と加算器４の間に挿入される。
【００２８】
図９は、等距離値を用いて変換されたガンマ曲線７１を示す。その結果は、絶対値１と２２の間の、暗い場所にて高い量子化誤差を有する量子化ノイズ曲線７２となる。特に暗い場所では、人間の目による知覚は、明るい場所よりも良好である。したがって、高い量子化誤差は、観察者に知覚される。これは、サンプリングと知覚の間に不一致を生じさせる。
【００２９】
図１０は、非等距離値によりサンプリングされたガンマ曲線８１を示している。非等距離値は、曲線８２として示される。絶対値１および２２の間の、暗い場所におけるかなり大きな量子化ノイズを有する量子化ノイズ曲線８３は、等距離に変換された値において、ＱＥよりも小さい。暗い場所の第１値は、小さな量子化誤差を有する。明るい場所では、量子化ノイズはより大きい。しかしながら、明るい場所での量子化ノイズは、観察者に知覚されにくい。したがってサンプル値は、観察と一致する。
【００３０】
図１１は、ガンマ補正回路６３、量子化器６４、逆量子化器６５、逆ガンマ補正回路６６、可算６７およびサブフィールド発生器８の代わりとなるランダムアクセスメモリ１０２を備えるビデオ回路１０１を示している。
【００３１】
図１２は、ライン遅延１１２と、最小／最大検出回路１１３と、第１置換回路１１４と、部分ラインダブリング回路１１５と、第２置換回路１１６とを備える回路１１１を示している。テレビジョン画像のラインは、遅延回路１１２で１ライン遅延される。次いで、１つの列で隣り合う２つの画素の値を、検出回路１１３で比較する。それぞれのより大きな値が定められ、ダブリング回路１１５の第１または第２入力に加えられる。ラインが、次いで、置換回路１１４にて置換された場合、第２置換回路１１６にて、再置換が行われる。
【００３２】
図１３は、等距離サブフィールド符号化のための、第１部分ラインダブリング回路１２０を示しており、この回路は、部分ラインダブリング回路１１５として使用することができ、第１ガンマ補正回路１２１と、加算器１２２と、逆ガンマ補正回路１２３と、メモリ１２４と、２Ｄフィルタ１２５と、さらなるガンマ補正回路１２６と、さらなる加算器１２７と、逆ガンマ補正回路１２８と、さらなるメモリ１２９と、１次元フィルタ１３０とを備える。メモリ１２４は、ガンマ補正回路１３１、量子化器１３２、ＳＦＧおよびＰＬＤ回路１３３、変換器１３４、逆量子化器１３５、第２変換器１３６、第２逆量子化器１３７および加算器１３８の代わりとなる。ＳＦＧおよびＰＬＤ回路１３３は、ＭＳＧ回路１３９と、ＬＳＧ回路１４０と、ＬＳＧ光回路１４１と、ＱＥ回路１４２とを含む。メモリ１２９は、ガンマ補正回路１４３、量子化器１４４、ＳＦＧおよびＰＬＤ回路１４５、さららなる変換器１４６、逆量子化器１４７および加算器１４８の代わりとなる。ＳＦＧおよびＰＬＤ回路１４５は、ＭＳＧ回路１４９と、ＱＥ回路１５０とを含む。信号が、入力１５１および１５２に存在し、出力信号が、出力１５３，１５４，１５５および１５６を介して出力される。この部分ラインダブリング回路１２０は、部分ラインダブリング回路１１５の代わりに使用することができる。
【００３３】
図１４は、非等距離サブフィールド符号化のための第２部分ラインダブリング回路１５９を示しており、この回路１５９は、部分ラインダブリング回路１１５の代わりに用いることができ、加算器１６０と、メモリ１６１と、２Ｄフィルタ１６２と、さらなる加算器１６３と、さらなるメモリ１６４と、１次元フィルタ１６５とを有する。メモリ１６１は、ガンマ補正回路１６６、量子化器１６７、ＳＦＧおよびＰＬＤ回路１６８、変換器１６９、逆量子化器１７０、逆ガンマ補正回路１７１および加算器１７２の代わりとなる。ＳＦＧおよびＰＬＤ回路１６８は、ＭＳＧ回路１７３と、ＬＳＧ回路１７４と、ＱＥ回路１７５とを含む。メモリ１６４は、ガンマ補正回路１７６、量子化器１７７、ＳＦＧおよびＰＬＤ回路１７８、変換器１７９、逆量子化器１８０、逆ガンマ補正回路１８１および加算器１８２の代わりとなる。ＳＦＧおよびＰＬＤ回路１７８は、ＭＳＧ回路１８３と、ＱＥ回路１８４とを含む。信号が、入力１８５および１８６に存在し、出力信号は、出力１８７，１８８，１８９および１９０を介して出力される。
【００３４】
図１５は、８つのサブフィールド２０１〜２０８、略してＳＦを示している。各サブフィールドは、消去時間２０９と、アドレッシング時間２１０と、持続時間２１１とを有する。８つのサブフィールドが、画像持続期間２１２をカバーしている。サブフィールド２０１〜２０４は、最下位グループすなわち略してＬＳＧ（Least Significant Group）の、１グループの最下位ビットすなわち略してＬＳＢを表わしている。サブフィールド２０５〜２０８は、最上位グループ（Most Significant Group）すなわちＭＳＧの、最上位ビットすなわちＭＳＢを表わしている。
【００３５】
２つの連続するラインのＬＳＢが、同一である場合、図１６に示すような節約時間２１３が存在する。ラインの一部範囲のダブリングは、英語ではＰａｒｔｉａｌ  Ｌｉｎｅ  Ｄｏｕｂｌｉｎｇ（一部ラインダブリング）、略してＰＬＤと呼ばれる。停止期間の間にのみ、画素の赤、緑または青の光源から光パルスが発せられる。
【００３６】
回路１２０の機能は、次の通りである。画素値が、メモリ１２４の入力に存在し、ガンマ補正回路１３１にて、輝度領域に変換される。したがって、８ビットデータワードが、１２ビットデータワードになり、暗い領域で十分な高さの解像度を達成する。続く量子化器において、１２ビットデータワードが、サブフィールド生成に必要なデータワードに適合される。後者のデータワードは、ＳＦＧおよびＰＬＤ回路１３３に加えられ、サブフィールドの関連ビットサンプルが、この回路で生成される。
【００３７】
アーテファクトを避けるために、他のサブフィールドを、表示される画素値に応答するサブフィールドよりも境界領域にアドレスする。典型的な例は、サブフィールド２０１〜２０７の代わりに、サブフィールド２０８のみをアドレスすることである。次いで、量子化誤差に加えて、アドレッシング誤差が発生する。この誤差は、ＱＥ回路１４２によって、光値信号を輝度信号に変換して発生するアドレッシング誤差を除去する変換器１３４に加えられる。変換器１３４から、信号は、量子化を相殺する逆量子化器１３５に搬送される。ここで生成される値が、補正回路１３１からの信号と比較され、実際の量子化誤差が、加算器１３８にて決定される。量子化誤差は、２Ｄフィルタ１２５に加えられ、Ｆｌｏｙｄ−Ｓｔｅｉｎｂｅｒｇアルゴリズムに従ってフィルタされる。フィルタされた量子化誤差は、輝度領域に位置し、入力信号に加えられるため、入力信号は、ガンマ補正回路１２１によって輝度領域に変換される。この変換は、逆ガンマ補正回路１２３によって相殺される。
【００３８】
フィルタされた量子化誤差は、隣接ラインの画素の画素値にも影響を及ぼすため、フィルタ１２５は、導電ラインを介して加算器１２７に接続される。よって、２Ｄフィルタの出力信号が、さらなる処理のために、隣接するラインの画素値を表わす入力信号に加えられる。
【００３９】
アドレッシング誤差が発生すると、各補正信号が、ＬＳＧ回路１４１から変換器１３６、逆量子化器１３７を介して加算器１２７へと搬送され、これにより隣接ラインの画素の画素値を表わす入力信号が補正される。
【００４０】
メモリ１２９内のガンマ補正回路１４３内のビデオ信号が、ビデオ領域から輝度領域に変換され、次いで、量子化器１４４にて量子化され、ＰＤＰのサブフィールドのためのビットサンプルを生成するＳＦＧおよびＰＬＤ回路１４５に搬送される。次いで、ＭＳＧのみが生成される。光値信号が、変換器回路１４６にて、輝度信号に再変換され、発生可能なアドレッシング誤差が除去される。輝度信号は、逆量子化器１４７にて逆量子化され、加算器１４８に印加される。加算器では、実際の量子化誤差が決定され、フィルタ１３０に加えられる。量子化誤差は、隣接ラインには何の影響も持たないため、１次元フィルタ１３０のみが使用される。
【００４１】
ここでも、輝度領域での処理が行われるので、加算器１２７は、第２の隣接ラインの現在画素の値を変換するガンマ補正回路１２６と逆ガンマ補正回路１２８に囲まれている。
【００４２】
回路１５９の機能は、次のように説明することができる。画素値が、回路１５９の入力１８５に存在し、ガンマ補正回路１６６にて輝度領域に変換される。この目的のために、８ビットデータワードを、１２ビットデータワードとし、暗い領域で十分な高さの解像度を達成する。続く量子化器１６７において、１２ビットデータワードが、サブフィールド生成に必要なデータワードに適合される。このデータワードは、ＳＦＧおよびＰＬＤ回路１６８に加えられ、この回路で、サブフィールドの関連ビットサンプルが生成され、出力１８７および１８８を介して出力される。
【００４３】
アーテファクトを除外するために、異なるサブフィールドを、表示される画素値に応答するサブフィールドよりも境界領域にアドレスする。次いで、量子化誤差に加えて、アドレッシング誤差が発生する。このアドレッシング誤差は、ＱＥ回路１７５によって、光値信号を輝度信号に変換して発生するアドレッシング誤差を相殺する変換器１６９に加えられる。変換器１６９から、信号は、量子化を相殺する逆量子化器１７０に搬送される。下流にある逆ガンマ補正回路１７１が、輝度データをビデオデータに変換して、ビデオ領域内の値が逆ガンマ補正回路１７１の出力に存在するようにし、このビデオ領域値は、出力１８７および１８８における出力値に一致する。この値は、加算器１７２にて入力信号と比較され、実際の量子化誤差が決定される。量子化誤差は、フィルタ１６２でフィルタされ、第１ラインの実際の画素値が、入力１８５に加えられる。
【００４４】
フィルタされた量子化誤差は、隣接ラインの画素の画素値にも影響を及ぼすため、フィルタ１６２は、導電ラインを介して加算器１６３に接続される。よって、２Ｄフィルタの出力信号が、さらなる処理のために、隣接ラインの画素値を表わす入力信号に加えられる。
【００４５】
メモリ１６４にて、ガンマ補正回路１７６内のビデオ信号が、ビデオ領域から輝度領域に変換され、次いで、量子化器１７７にて量子化され、ＰＤＰのサブフィールドを生成するＳＦＧおよびＰＬＤ回路１７８に搬送される。次に、ＭＳＧのみが生成される。変換器１７９において、光値信号が、輝度信号に再変換され、発生可能なアドレッシング誤差が除去される。輝度信号は、逆量子化器１８０にて逆量子化され、逆ガンマ補正回路１８１に加えられる。加算器１８２にて、実際の量子化誤差が検出され、この誤差は、フィルタ１６５に加えられる。量子化誤差は、隣接ラインには何の影響も持たないため、１次元フィルタ１６５のみが使用される。
【００４６】
出力１８８のＬＳＢは、量子化器１７７に直接加えられ、したがって、出力１８９において利用可能な隣接ラインの最上位ビットが形成される際に考慮に入れられる。
【図面の簡単な説明】
【００４７】
【図１】図１は、量子化処理および続く逆量子化処理のためのランダムアクセスメモリを備えるブロック回路図を示している。
【図２】図２は、ディスプレイパネルセクションを、隣接するピクセルと共に示している。
【図３】図３は、ディスプレイパネルセクションを、隣接画素のための補正値と共に示している。
【図４】図４は、遅延要素を有するフィルタを示している。
【図５】図５は、量子化処理のコアースおよびファイン調整のための２つのランダムアクセスメモリを有するブロック回路図を示している。
【図６】図６は、量子化処理の最上位および最下位ビットのための２つのランダムアクセスメモリを有するブロック回路図を示している。
【図７】図７は、等距離値のための、ガンマ補正関数および量子化処理の代わりとなるランダムアクセスメモリを有するブロック回路図を示している。
【図８】図８は、非等距離値のための、ガンマ補正関数および量子化処理ならびにそれらの逆関数の代わりとなるランダムアクセスメモリを有するブロック回路図を示している。
【図９】図９は、等距離値での分類により量子化ノイズを表すための図を示している。
【図１０】図１０は、非等距離値での分類におより量子化ノイズを表わす図を示している。
【図１１】図１１は、ガンマ補正関数、量子化およびそれらの逆関数ならびにサブフィールド発生器の代わりとなるランダムアクセスメモリを有するブロック回路図を示している。
【図１２】図１２は、部分ラインダブリングのブロック回路図を示している。
【図１３】図１３は、等距離サブフィールド符号化のための第１および第２ラインの画素値を処理する２つのランダムアクセスメモリを有するブロック回路図を示している。
【図１４】図１４は、非等距離サブフィールド符号化のための第１および第２ラインの画素値を処理する２つのランダムアクセスメモリを有するブロック回路図を示している。
【図１５】図１５は、プラズマディスプレイパネルの動作のためのサブフィールドを有するタイミング図を示している。
【図１６】図１６は、部分ラインダブリングを用いたプラズマディスプレイパネルの動作のためのサブフィールドを有する第２タイミング図を示している。
【符号の説明】
【００４８】
１  ビデオ回路
２  入力
３  ガンマ補正回路
４  加算器
５  メモリ
６  丸め回路
７  ランダムアクセスメモリ
８  サブフィールド発生回路
９  出力
１０  フィルタ
１１  乗算回路
１２  丸め回路
１３  第２乗算回路
１４  可算回路
１５  遅延素子
１６  遅延素子
１７  遅延素子
１８  遅延素子
１９  乗算素子
２０  乗算素子
２１  乗算素子
２２  乗算素子
２３  加算器
２４  加算器
２５  加算器
３１  ビデオ回路
３２  回路
３３  コアース値ランダムアクセスメモリ
３４  ファイン値ランダムアクセスメモリ
３５  加算器
３６  加算器
３７  フィードバックループ
４１  ビデオ回路
４２  回路
４３  ＭＳＢランダムアクセスメモリ
４４  ＬＳＢランダムアクセスメモリ
４５  加算器
４６  加算器
５１  ビデオ回路
５２  ランダムアクセスメモリ
５３  ガンマ補正回路
５４  量子化器
５５  前方制御器
５６  遅延素子
５７  加算器
６１  ビデオ回路
６２  ランダムアクセスメモリ
６３  ガンマ補正回路
６４  量子化器
６５  逆量子化器
６６  逆ガンマ補正回路
６７  加算器
６８  フィードバックループ
６９  丸め回路
７１  ガンマ曲線
７２  量子化ノイズ曲線
８１  ガンマ曲線
８２  曲線
８３  量子化ノイズ曲線
１０１  ビデオ回路
１０２  ランダムアクセスメモリ
１０３  サブフィールド発生
１１１  回路
１１２  ライン遅延
１１３  最小／最大検出回路
１１４  置換回路
１１５  部分ラインダブリング回路
１１６  第２置換回路
１２０  部分ラインダブリング回路
１２１  ガンマ補正回路
１２２  加算器
１２３  逆ガンマ補正回路
１２４  メモリ
１２５  ２Ｄフィルタ
１２６  ガンマ補正回路
１２７  加算器
１２８  逆ガンマ補正回路
１２９  メモリ
１３０  １次元フィルタ
１３１  ガンマ補正回路
１３２  量子化器
１３３  ＳＦＧおよびＰＬＤ回路
１３４  変換器
１３５  逆量子化器
１３６  変換器
１３７  第２逆量子化器
１３８  加算器
１３９  ＭＳＧ回路
１４０  ＬＳＧ回路
１４１  ＬＳＧ光回路
１４２  ＱＥ回路
１４３  ガンマ補正回路
１４４  量子化器
１４５  ＳＦＧおよびＰＬＤ回路
１４６  逆輝度回路
１４７  逆量子化器
１４８  加算器
１４９  ＭＳＧ回路
１５０  ＱＥ回路
１５１  入力
１５２  入力
１５３  出力
１５４  出力
１５５  出力
１５６  出力
１５９  第２部分ラインダブリング回路
１６０  加算器
１６１  メモリ
１６２  ２Ｄフィルタ
１６３  加算器
１６４  メモリ
１６５  １次元フィルタ
１６６  ガンマ補正回路
１６７  量子化器
１６８  ＳＦＧおよびＰＬＤ回路
１６９  変換器
１７０  逆量子化器
１７１  逆ガンマ補正回路
１７２  加算器
１７３  ＭＳＧ回路
１７４  ＬＳＧ回路
１７５  ＱＥ回路
１７６  ガンマ補正回路
１７７  量子化器
１７８  ＳＦＧおよびＰＬＤ回路
１７９  変換器
１８０  逆量子化器
１８１  逆ガンマ補正回路
１８２  加算器
１８３  ＭＳＧ回路
１８４  ＱＥ回路
１８５  入力
１８６  入力
１８７  出力
１８８  出力
１８９  出力
１９０  出力
２０１  サブフィールド
２０２  サブフィールド
２０３  サブフィールド
２０４  サブフィールド
２０５  サブフィールド
２０６  サブフィールド
２０７  サブフィールド
２０８  サブフィールド
２０９  消去時間
２１０  アドレッシング時間
２１１  持続時間
２１２  画像持続期間
２１３  節約時間
【図１】
2005536924.tif 000003
【図２】
2005536924.tif 000004
【図３】
2005536924.tif 000005
【図４】
2005536924.tif 000006
【図５】
2005536924.tif 000007
【図６】
2005536924.tif 000008
【図７】
2005536924.tif 000009
【図８】
2005536924.tif 000010
【図９】
2005536924.tif 000011
【図１０】
2005536924.tif 000012
【図１１】
2005536924.tif 000013
【図１２】
2005536924.tif 000014
【図１３】
2005536924.tif 000015
【図１４】
2005536924.tif 000016
【図１５】
2005536924.tif 000017
【図１６】
2005536924.tif 000018
【国際調査報告】
2005536924.tif 000019
2005536924.tif 000020
2005536924.tif 000021